(57)【要約】【課題】血糖計等、血液中の所望の成分を測定する測定器や該測定器で測定される血液を採血する際に用いる穿刺具を適切な姿勢で固定して、これら測定器及び穿刺具の取り扱い性を向上させる。【解決手段】固定具１０は、本体部３６と、該本体部３６の上面に設けられ、血液点着部を有する測定具２０を装着して血液中の所望の成分を測定する血糖計１２が配置される測定器配置部３８とを有する。該測定器配置部３８は、血糖計１２が載置される載置面４２と、前記載置面４２に測定具２０を装着した血糖計１２を載置した状態で前記測定具２０の血液点着部である毛細管２０ａに血液を点着する方向へ前記血糖計１２を押圧したとき当該血糖計１２が移動しないように支持する支持部材４４とを備える。【選択図】図１
0003137887.tif 000002
【実用新案登録請求の範囲】
【請求項１】
本体部と、該本体部の上面に設けられ、血液点着部を有する測定具を装着して血液中の所望の成分を測定する測定器が配置される測定器配置部とを有し、
前記測定器配置部は、前記測定器が載置される載置面と、
前記載置面に前記測定具を装着した前記測定器を載置した状態で、前記測定具の前記血液点着部に血液を点着する方向へ前記測定器を押圧したとき前記測定器が移動しないように支持する支持部材と、
を備えることを特徴とする固定具。
【請求項２】
請求項１記載の固定具において、
前記載置面は所定の角度で傾斜し、前記測定器を載置したとき前記血液点着部が水平より上方を指向して載置されることを特徴とする固定具。
【請求項３】
請求項１又は２記載の固定具において、
前記本体部の上面の少なくとも一部は、前記載置面に前記測定具を装着した前記測定器を載置したとき前記血液点着部との間に空間を有すると共に、前記本体部の底面から所定の高さに位置していることを特徴とする固定具。
【請求項４】
請求項１〜３のいずれか１項に記載の固定具において、
前記支持部材が前記測定器の前記血液点着部とは反対側で前記測定器を支持することを特徴とする固定具。
【請求項５】
請求項１〜４のいずれか１項に記載の固定具において、
前記本体部の底部にすべり止め手段が設けられていることを特徴とする固定具。
【請求項６】
請求項１〜５のいずれか１項に記載の固定具において、
当該固定具は、さらに、前記本体部の一側面に設けられ、前記測定器で測定される血液を採血する際に用いる穿刺具を配置するための穿刺具配置部を備え、
前記穿刺具配置部には、前記穿刺具が挿入される支持孔部と、該支持孔部内に挿入された前記穿刺具の一部を外部に臨ませる開口部とが設けられていることを特徴とする固定具。
【請求項７】
請求項６記載の固定具において、
前記支持孔部は、前記穿刺具が挿入された場合に、前記穿刺具に設けられる針の突出方向が鉛直上方から水平に至る範囲を指向するように設定されていることを特徴とする固定具。
【請求項８】
血液中の所望の成分を測定する測定器で測定される血液を採血する際に用いられる穿刺具が配置される穿刺具配置部を有し、
前記穿刺具配置部には、前記穿刺具が挿入される支持孔部と、該支持孔部内に挿入された前記穿刺具の一部を外部に臨ませる開口部とが設けられていることを特徴とする固定具。
【考案の詳細な説明】
【技術分野】
【０００１】
本考案は、血液中の所望の成分を測定する測定器あるいは該測定器で測定される血液を採血する際に用いる穿刺具を固定する固定具に関する。
【背景技術】
【０００２】
糖尿病等の患者は、血糖値が適正値となるように日頃から管理をすることが求められている。血糖値の管理は、先ず、穿刺具（穿刺装置）を用い、キャップを外した針により血液を微量出し、該血液を測定具の試験紙に含浸させて血糖計により計測を行う。血糖値の計測は光学的計測や電気的計測により計測することが可能である。そして、血糖値を測定した後、医師の指示に従いインシュリン入の注射器を用いて、インシュリンを適量注射することが行われている。
【０００３】
このような一連の血糖値管理操作では、穿刺具に装着される穿刺針及び血糖計に装着される測定具はそれぞれ使い捨て型となっている。穿刺針及び測定具は、相当に工夫がなされており、穿刺具及び血糖計に対して容易に着脱することができる。
【０００４】
しかしながら、糖尿病患者等は高齢者が多く、手指が不自由な患者や、片腕しか使えない患者もいる。さらに、糖尿病の合併症で手指が不自由となり、視力が低下し、又は失明している患者もいる。このような患者にとっては、穿刺針及び測定具の扱いは容易ではない場合がある。
【０００５】
このような観点から、本出願人は特許文献１において、測定具を取り出すための測定具ケース保持部と、穿刺器具に装着して使用される穿刺針を起立状態で保持する孔で構成された穿刺針保持部と、穿刺針からキャップを取り外すためのキャップ離脱部と、穿刺装置から穿刺針を取り外すための穿刺針離脱部とを有する補助具を提案している。これらの各機能部は使用する順序に並んで配置されている。このような補助具によれば、血糖値管理操作で用いる部品を容易に扱うことができる。
【０００６】
【特許文献１】特開２００１−２４５８７３号公報
【考案の開示】
【考案が解決しようとする課題】
【０００７】
ところで、手先が不自由な患者や片手しか使えない患者等にとっては、この種の血糖計及び穿刺具については、測定具及び穿刺針の扱いのみならず、当該測定具等を装着した後の使用時においてもその取り扱い性を一層容易なものとすることが求められている。
【０００８】
すなわち、前記の血糖計にあっては、通常、一方の手で当該血糖計を把持し、他方の手の穿刺された指先の血を血糖計の採血口（血糖計に装着された測定具の採血口）に当てる、いわゆる点着を行っているが、特に、手の不自由な患者や片手しか使えない患者、さらには器具を持つ手が震えるような患者等にとって前記採血口への血液の点着は非常に難しく、ストレスを生じる作業であり、前記の穿刺具による穿刺動作についても同様である。
【０００９】
本考案は、上記従来の技術に関連してなされたものであり、血糖計等、血液中の所望の成分を測定する測定器や該測定器で測定される血液を採血する際に用いる穿刺具を適切な姿勢で固定して、これら測定器及び穿刺具の取り扱い性を向上させることができる固定具を提供することを目的とする。
【課題を解決するための手段】
【００１０】
本考案に係る固定具は、本体部と、該本体部の上面に設けられ、血液点着部を有する測定具を装着して血液中の所望の成分を測定する測定器が配置される測定器配置部とを有し、前記測定器配置部は、前記測定器が載置される載置面と、前記載置面に前記測定具を装着した前記測定器を載置した状態で、前記測定具の前記血液点着部に血液を点着する方向へ前記測定器を押圧したとき前記測定器が移動しないように支持する支持部材とを備えることを特徴とする。
【００１１】
また、本考案に係る固定具は、血液中の所望の成分を測定する測定器で測定される血液を採血する際に用いられる穿刺具が配置される穿刺具配置部を有し、前記穿刺具配置部には、前記穿刺具が挿入される支持孔部と、該支持孔部内に挿入された前記穿刺具の一部を外部に臨ませる開口部とが設けられていることを特徴とする。
【００１２】
このような構成によれば、測定器配置部や穿刺具配置部によって前記測定器の一例である血糖計や、皮膚への穿刺を行う穿刺具を所望の姿勢に固定しておくことができる。このため、使用者は、例えば、片手で容易に血糖計や穿刺具への測定具や穿刺針の装着作業を行うことができる。この場合、測定器配置部では支持部材により、測定具を装着した測定器が、血液点着部に血液を点着する方向へと移動することを規制しておくことができる。また、穿刺具配置部では前記支持孔部の底面で前記穿刺具の後端を支持しておくことができる。これにより、前記血液点着部への血液の点着時や指先等への穿刺時において、測定器や穿刺具がずれることを有効に防止でき、例えば、片手であっても測定器等を容易に扱うことが可能となる。
【００１３】
また、前記載置面は所定の角度で傾斜し、前記測定器を載置したとき前記血液点着部が水平より上方を指向して載置されると、測定器に装着された測定具の血液点着部に対する血液の点着を十分に視認しながら行うことができるため、測定器の取り扱い性を一層向上させることができる。
【００１４】
さらに、前記本体部の上面の少なくとも一部は、前記載置面に前記測定具を装着した前記測定器を載置したとき前記血液点着部との間に空間を有すると共に、前記本体部の底面から所定の高さに位置していると、前記測定器配置部に配置された測定器に装着された血液点着部への血液の点着時、使用者の指先に震えを生じている場合等であっても、血液点着部と前記本体部の上面との間に設けられた空間によって、前記上面に指を置いた状態で、容易に血液を前記血液点着部へと点着させることができる。しかも、当該本体部の上面の少なくとも一部が所定の高さに設定されていることから、使用者は、例えば、固定具が置かれたテーブル等の上に肘や手首を置き、指を本体部の上面上に置いた状態で血液の点着を行うことができ、測定器の取り扱い性が一層向上する。
【００１５】
また、前記支持部材が前記測定器の前記血液点着部とは反対側で前記測定器を支持するように構成されると、血液点着部に血液を点着する際の測定器の移動を一層確実に防止することが可能となる。
【００１６】
さらにまた、前記本体部の底部にすべり止め手段が設けられていると、測定器に装着された血液点着部への血液点着時等において当該固定具がすべりやずれを生じることを有効に回避することができる。
【００１７】
また、当該固定具は、さらに、前記本体部の一側面に設けられ、前記測定器で測定される血液を採血する際に用いる穿刺具を配置するための穿刺具配置部を備え、前記穿刺具配置部には、前記穿刺具が挿入される支持孔部と、該支持孔部内に挿入された前記穿刺具の一部を外部に臨ませる開口部とが設けられていてもよい。この場合、前記支持孔部は、前記穿刺具が挿入された場合に、前記穿刺具に設けられる針の突出方向が鉛直上方から水平に至る範囲を指向するように設定されていると、該支持孔部内で保持される穿刺具の穿刺針の突出方向を所望の姿勢に位置決め保持することができ、使用者の症状等に適した姿勢にすることが可能となる。
【考案の効果】
【００１８】
本考案に係る固定具によれば、測定器配置部や穿刺具配置部によって血液中の所望の成分を測定する測定器や、該測定器で測定される血液を採血する際に用いられる穿刺具を所望の姿勢に固定しておくことができる。このため、使用者は、例えば、片手で容易に測定器や穿刺具への測定具や穿刺針の装着作業を行うことができる。この場合、測定器配置部では支持部材により、測定具を装着した測定器が、血液点着部に血液を点着する方向へと移動することを規制しておくことができる。また、穿刺具配置部では前記支持孔部の底面で前記穿刺具の後端を支持しておくことができる。これにより、前記血液点着部への血液の点着時や指先等への穿刺時において、測定器や穿刺具がずれることを有効に防止でき、例えば、片手であっても測定器や穿刺具を容易に扱うことが可能となる。
【考案を実施するための最良の形態】
【００１９】
以下、本考案に係る固定具について好適な実施の形態を挙げ、添付の図面を参照して詳細に説明する。
【００２０】
図１は、本考案の一実施形態に係る固定具１０の概略斜視図を示しており、該固定具１０の使用例を示している。本実施形態に係る固定具１０は、血液中の所望の成分を測定する測定器として、例えば、血糖値を測定するための血糖計１２と、該血糖計１２による測定に先立ち患者の指先等への穿刺を行うための穿刺具（穿刺装置）１４とを所望の姿勢に固定（保持）することにより、その取り扱い性を向上させるための器具である。
【００２１】
先ず、本実施形態に係る固定具１０の説明に先立ち、血糖計１２及び穿刺具１４について説明する。なお、以下で説明する血糖計１２や穿刺具１４は、本実施形態に係る固定具１０で固定することができる器具の一例であって、固定具１０は、他の構成からなる測定器や穿刺具等についても好適に使用可能である。
【００２２】
図２に示すように、血糖計１２は、測定具ユニット１８の測定具２０を先端に装着して血糖計測を行い、計測結果をモニタ１２ａに表示するものである。測定具ユニット１８は、試験片としての測定具２０と、該測定具２０を収納する円柱状の穿刺具ケース２２と、該穿刺具ケース２２の開口を密封するシール２４とを有する。図３に示すように、測定具２０は、先端に開口する細径の毛細管（採血口、血液点着部）２０ａと、該毛細管２０ａの他方の開口部を塞ぐように設けられた試験紙２０ｂとを有する。試験紙２０ｂには、血糖に反応する試薬が含浸されている。
【００２３】
測定具２０は、血糖計測を行うときにシール２４を剥がして取り出された後、キャップ１２ｂを取り外した血糖計１２に装着され、血液が含浸される。キャップ１２ｂは本体に対してストラップで接続されている。
【００２４】
血糖計１２は、電源スイッチ１２ｃを一度押すとオンとなって自動的に計測を開始し、測定具２０の試験紙２０ｂに含浸された血液の発色の変化を検出し、所定の計算を行って得られた血糖値をモニタ１２ａに表示する。計測結果は内部のメモリに記録され、呼び出しボタン１２ｄの操作により計測結果の履歴を表示することができる。使用後の測定具２０は、レバー１２ｅの操作によってピン１２ｆが突出することにより血糖計１２から取り外され、所定の方法によって廃棄される。
【００２５】
図４に示すように、穿刺具１４は略棒形状であり、穿刺針ユニット２８の穿刺針３０を先端に装着して穿刺を行うことで血液を微量出すためのものである。穿刺針ユニット２８は、穿刺針３０と、該穿刺針３０の先端を覆うキャップ３２とを有する。穿刺針３０は、内部に針３０ａと、該針３０ａを保持するハブ３０ｂとを有する。該針３０ａは、前方のキャップ３２と後方のハブ３０ｂによって滅菌状態に保たれている。また、穿刺針３０は、多段の筒形状であって、フランジ３０ｃを有する。
【００２６】
穿刺具１４は、穿刺針３０が装着されると内部のばねが圧縮された状態で保持され、穿刺ボタン１４ａを押すことにより圧縮が解除されて針３０ａが一瞬突出して皮膚を適度に穿刺することができる。この際の針３０ａの突出量は、ダイヤル１４ｂの操作により調整することができる。使用後の穿刺針３０は穿刺具１４から取り外されて、所定の方法によって廃棄される。なお、キャップ３２は筒形状であって、先端にフランジ３２ａを有する。
【００２７】
次に、本実施形態に係る固定具１０について説明する。
【００２８】
図５及び図６に示すように、固定具１０は、本体部３６と、該本体部３６の上面に設けられ、前記血糖計１２が配置される測定器配置部（測定器位置決め部）３８と、前記本体部３６の一側面に設けられ、前記穿刺具１４が配置される穿刺具配置部（穿刺具位置決め部）４０とから構成され、例えば、樹脂製材料により形成される。
【００２９】
本体部３６の上面には、所定の角度θ（図７参照）で傾斜し、前記測定器配置部３８を構成する載置面４２が設けられており、該本体部３６は、載置面４２の上端から連続した平面部４３を有する横長の箱状に形成されている。また、該本体部３６の底面（底部）には、当該固定具１０をテーブル等の上に配置した際、すべり止め手段として機能するゴムシート４５が貼り付けられている。該ゴムシート４５は、固定具１０がテーブル等の上ですべることを防止可能であればよく、本体部３６の底面の全面に設けられていても、一部にのみ設けられていてもよい。当然、ゴム材料以外にも、すべりを防止できる材質であれば好適に用いることができ、また、本体部３６の底面自体にすべり止め加工を施してもよい。
【００３０】
前記測定器配置部３８は、上記のように所定の角度θで傾斜し、前記血糖計１２が載置される載置面４２と、傾斜した該載置面４２の下端に設けられ、血糖計１２に装着された測定具２０の血液点着部である毛細管２０ａが設けられる側（以下、先端ともいう）とは反対側（以下、後端ともいう）を支持する支持部材４４と、前記載置面４２の傾斜方向に沿って延在し、該支持部材４４で前記後端が支持された血糖計１２の側面を支持するように並設された側面支持部材４６、４８とを備える。従って、支持部材４４は、載置面４２に沿う（略並行する）方向であって、載置面４２に測定具２０を装着した血糖計１２を載置した状態で当該測定具２０の毛細管２０ａに血液を点着する方向へ血糖計１２を押圧したとき、該血糖計１２が移動しないように支持するものである。
【００３１】
この場合、載置面４２の角度θは、例えば、水平（０°）から鉛直上方（９０°）に至る範囲、好適には、１０〜６０°程度に設定される。また、図７に示すように、本体部３６を構成する平面部４３は、該本体部３６の底面から所定の高さｈに設定されている。該高さｈは、使用者が手を置きやすい所定の範囲、例えば、２０〜１００ｍｍの範囲に設定される。
【００３２】
これら支持部材４４及び側面支持部材４６、４８は、血糖計１２の厚さよりもやや低い高さで載置面４２から起立しており（図１及び図７参照）、側面支持部材４６、４８は、血糖計１２の側面形状に対応した形状とされている（図６参照）。すなわち、一方の側面支持部材４６は、血糖計１２のレバー１２ｅを備える側の側面に対応した略直線状であり、該レバー１２ｅを外部へと露出させるための切欠部４６ａを備え、他方の側面支持部材４８は、血糖計１２のレバー１２ｅ側とは反対側の側面に対応した湾曲部４８ａを備える。
【００３３】
従って、このような測定器配置部３８に測定具２０を装着した血糖計１２が配置されると、図１及び図６に示すように、該血糖計１２は、その底面（背面。モニタ１２ａ側とは反対側の面）が載置面４２上に載置されると共に、その周囲（三方）が、支持部材４４及び側面支持部材４６、４８により保持されて位置決め固定される。この際、血糖計１２は、その後端が支持部材４４により支持され、測定具２０（毛細管２０ａ）が設けられた先端が載置面４２の角度θだけ上方を指向した姿勢に保持される。これにより、当該先端が傾斜した載置面４２の上端から平面部４３の上方に突出する（図１及び図７参照）。すなわち、載置面４２において、血糖計１２は、測定具２０の血液点着部である毛細管２０ａが水平より上方を指向した状態で載置される。
【００３４】
一方、前記穿刺具配置部４０は、図６に示すように、前記本体部３６の一側面に設けられた複数の連結凹部５２に係合可能な複数の連結凸部５０を有し、該本体部３６に着脱自在であり、前記本体部３６に比べて横幅が小さく且つ縦長の箱状に形成されている。当該穿刺具配置部４０の底面にもゴムシート４５が設けられている。このような穿刺具配置部４０は、その上面から所定の深さまで延在し、穿刺具１４が挿入される略円柱状の支持孔部５４と、該支持孔部５４に挿入された穿刺具１４の一側面を前記本体部３６側に向けて露出させる縦長の開口部５６とを有する。
【００３５】
すなわち、穿刺具配置部４０において、前記支持孔部５４は穿刺具１４よりもやや大径の内径で構成され、その中心軸線より前記本体部３６側に偏位した位置が前記開口部５６により切り取られた形状とされており（図１及び図８Ａ参照）、これにより、穿刺具１４の穿刺ボタン１４ａを外部（本体部３６側）に臨ませている。
【００３６】
さらに、図５及び図６に示すように、穿刺具配置部４０の前記本体部３６側の側面上部には、前記支持孔部５４の軸線方向に沿う係合凸部５８が設けられ、これにより、補助台６０が、前記係合凸部５８に係合可能な係合凹部６２を介して固定されている（図６及び図８Ａ参照）。該補助台６０は、穿刺具配置部４０に配置された穿刺具１４を使用して、例えば、指先に針３０ａによる穿刺を行う際の指置き用の補助具として機能するものであり、前記係合凸部５８に固定された状態で、前記開口部５６、すなわち、穿刺具１４の穿刺ボタン１４ａを塞ぐことがないように設けられる。
【００３７】
なお、本実施形態の場合、前記係合凸部５８は、穿刺具１４を構成する穿刺ボタン１４ａと略同形状とされており、すなわち、前記補助台６０は、穿刺ボタン１４ａに固定することもできる（図８Ｂ参照）。この場合には、補助台６０が開口部５６を塞ぐことになるが、当該補助台６０を操作することにより、穿刺ボタン１４ａを操作することができる。
【００３８】
次に、基本的には以上のように構成される固定具１０の使用例について説明する。
【００３９】
先ず、使用者（患者）は、血糖計１２を測定器配置部３８に配置すると共に、穿刺具１４を穿刺具配置部４０に配置する。次いで、血糖計１２の先端に、シール２４を取り外した未使用の測定具ユニット１８を押し当てて、当該血糖計１２の先端に測定具２０を装着し、穿刺具ケース２２を取り外す。この際、ピン１２ｆは血糖計１２の内部に収納されている。続いて、穿刺具１４の先端に、未使用の穿刺針ユニット２８を装着する。この操作により、穿刺針３０のハブ３０ｂは穿刺具１４内の図示しないスプリングを圧縮して所定の係合部に係合し、穿刺の準備がなされる。そこで、使用者は、キャップ３２を穿刺針３０から取り外す。
【００４０】
このように、固定具１０には、載置面４２及び支持部材４４等を備える測定器配置部３８と、支持孔部５４を備える穿刺具配置部４０が設けられているため、使用者は、例えば、片手で容易に血糖計１２及び穿刺具１４を所望の姿勢で配置することができ、測定具２０や穿刺針３０の装着作業を容易に行うことができる。しかも、当該固定具１０の底面には、すべり止め手段であるゴムシート４５が設けられていることから、上記のような準備作業中に固定具１０がテーブル上等ですべりやずれを生じることを防止して、当該準備作業を一層容易に且つ円滑に行うことができる。さらに、血糖計１２の後端が支持部材４４で支持され、穿刺具１４の後端が支持孔部５４の底面で支持される。このため、血糖計１２及び穿刺具１４をその先端から後端に向けてある程度押圧したとしても、これら血糖計１２及び穿刺具１４がずれてしまうことを回避できるため、例えば、力のない使用者であっても、腕の重さ等を利用して、簡単に測定具２０や穿刺針３０の装着を行うことができる。
【００４１】
このような使用準備が終わると、先ず、使用者は、図１に示すように、穿刺具１４に装着された穿刺針３０の先端を、例えば、左手の人差し指や中指等の指先の皮膚に当てて穿刺を行う。そこで、固定具１０では、穿刺具配置部４０を構成する支持孔部５４が開口部５６にて開口しているため、使用者は、穿刺針３０の先端に人差し指等を当てた状態で、親指等を用いて容易に穿刺ボタン１４ａを押すことができる。続いて、コイルスプリングの圧縮状態が解除され、ハブ３０ｂ及び針３０ａが前方に一瞬突出し、穿刺がなされて微量の血液が出る。ハブ３０ｂ及び針３０ａは、図示しないリターンスプリングにより穿刺針３０内に戻る。
【００４２】
ここで、図９に示すように、穿刺具配置部４０を構成する支持孔部５４は、その中心軸線の鉛直方向に対する角度αが、鉛直（０°）から水平（９０°）に至る範囲、より好適には、０〜４５°に設定されている。これにより、支持孔部５４内で固定される穿刺具１４の針３０ａの突出方向を所望の姿勢に位置決めすることができ、使用者の症状等に適した姿勢にすることが可能となる。
【００４３】
すなわち、穿刺具配置部４０では、穿刺具１４を所望の姿勢で起立保持しておくことができ、しかも、開口部５６により前記穿刺ボタン１４ａを外部に臨ませていることから、上記のように、親指等により穿刺ボタン１４ａを容易に操作することができる。従って、使用者は、穿刺を行う指と同じ手の指で穿刺ボタン１４ａを操作することができ、片手であっても円滑に且つ容易に穿刺を行うことができる。また、穿刺する指先に震えを生じている場合等であっても、補助台６０で指先を保持固定しながら穿刺を行うことができるため、一層容易に穿刺を行うことができる。すなわち、例えば、中指を穿刺する際には、人差し指を補助台６０上に固定することができる。この場合にも、前記ゴムシート４５のすべり止め作用により、穿刺具１４（穿刺具配置部４０）がずれることが有効に防止されているため、より確実に穿刺を行うことができる。
【００４４】
次いで、図１に示すように、血糖計１２に装着された測定具２０の先端の血液点着部に前記穿刺により指先に生じた血液を接触（点着）させる。これにより、血液は毛細管２０ａを通って試験紙２０ｂに含浸され、試薬によって呈色することにより光学的に自動的に血糖値が測定される。測定された血糖値はモニタ１２ａに表示されるので、患者は値を確認することができる。
【００４５】
この場合、測定器配置部３８では、載置面４２によって血糖計１２を所定の角度θ（例えば、１０〜６０°）に保持しておくことができる。このため、使用者は、血液が出ている部位を十分に視認しながら、当該血液を片手で容易に測定具２０の先端（血液点着部）へと接触させることができる。しかも、本体部３６の底面にはゴムシート４５が設けられ、さらに、血糖計１２が前記血液点着部に血液を点着する方向が支持部材４４で支持されていることから、指先が測定具２０に当って血糖計１２を押圧してしまった場合であっても、該血糖計１２（測定器配置部３８）がずれることを有効に防止できる。
【００４６】
また、血液が点着される血糖計１２の先端は、傾斜した載置面４２の上端から突出しており、その下方には平面部４３が設けられている。すなわち、本体部３６の上面の少なくとも一部を構成する平面部４３は、前記載置面４２に測定具２０を装着した血糖計１２を載置したとき前記血液点着部（測定具２０の毛細管２０ａ）との間に空間を挟んで配置され、前記本体部３６の底面から所定の高さに位置している。換言すれば、本体部３６の上面の少なくとも一部が、載置面４２に測定具２０を装着した血糖計１２を載置したとき前記血液点着部との間に空間を挟んで配置されると共に、本体部３６の底面から所定の高さに位置している。
【００４７】
このため、指先に震えを生じている場合等であっても、前記本体部３６上、すなわち、平面部４３上に指を置いた状態で、血液を測定具２０へと容易に接触させることができる。しかも、当該平面部４３の高さが本体部３６の底面、すなわち、固定具１０が置かれているテーブル等の表面から２０〜１００ｍｍに設定されおり、通常の使用者の手の大きさに対応している。これにより、使用者は、例えば、テーブル上に肘や手首を置き、指を平面部４３上に置いた状態で血液の点着を行うことができる。従って、平面部４３、すなわち本体部３６の上面の少なくとも一部は、使用者が容易に指を置いて血液点着部へと血液を点着できればよいものであり、単なる平面以外にも、曲面や凹凸形状、すべり止め加工を施した形状等であってもよい。
【００４８】
このような一連の測定作業が終了した後は、穿刺針３０を穿刺具１４から取り外すと共に、血糖計１２の先端の測定具２０を穿刺具ケース２２内に挿入し、レバー１２ｅを操作することにより、ピン１２ｆを突出させて測定具２０を血糖計１２から取り外し、シール２４を覆い被せる。取り外した穿刺針３０、測定具２０及び穿刺具ケース２２は、所定の手順により破棄することになる。
【００４９】
なお、本実施形態に係る固定具１０は、図１０に示すように、載置面４２と支持部材４４ａとを有し、側面支持部材４６や４８を省略した測定器配置部３８ａを有する固定具１０ａとして構成することもできる。この固定具１０ａでは、血糖計１２の側面が支持されない反面、当該血糖計１２の載置面４２への載置が一層容易となる。当然、該固定具１０ａに対して、側面支持部材４６又は４８を設定し、血糖計１２の一側面を支持するように構成することもできる。
【００５０】
本考案に係る固定具は、上述の実施の形態に限らず、本考案の要旨を逸脱することなく、種々の構成を採り得ることはもちろんである。
【００５１】
例えば、穿刺具配置部４０は、必ずしも本体部３６に着脱自在に構成する必要はなく、当該本体部３６と一体に構成してもよい。同様に、補助台６０も穿刺具１４や穿刺具配置部４０の側面に着脱自在にせず、いずれかに固定しておく構成であってもよい。
【００５２】
また、例えば、測定具は長板小片状の電極センサであってもよいし、穿刺針は針にキャップのみが付属した形態であってもよく、現在又は将来使用される測定具及び針が適用可能である。
【００５３】
さらに、固定具１０で固定できる測定器としては、血糖計以外にも、例えば、測定目的とする血液中の成分として、タンパク、コレステロール、アルコール、ナトリウム等の無機イオン、ヘモグロビン等を測定する測定器であってもよい。
【図面の簡単な説明】
【００５４】
【図１】本考案の一実施形態に係る固定具の概略斜視図である。
【図２】図１に示す固定具で固定される血糖計及び測定具ユニットの一例を示す概略斜視図である。
【図３】図２に示す血糖計に測定具を挿入する状態を示す概略断面側面図である。
【図４】図１に示す固定具で固定される穿刺具及び穿刺針ユニットの概略側面図である。
【図５】図１に示す固定具の概略斜視図である。
【図６】図１に示す固定具の概略分解斜視図である。
【図７】図１に示す固定具の概略側面図である。
【図８】図８Ａは、図１に示す固定具の穿刺具配置部を示す一部省略概略平面図であり、図８Ｂは、図８Ａに示す状態から補助台を移動させた状態を示す一部省略概略平面図である。
【図９】図１に示す固定具の穿刺具配置部を説明するための概略斜視図である。
【図１０】図１に示す固定具の変形例に係る固定具の概略斜視図である。
【符号の説明】
【００５５】
１０、１０ａ…固定具                  １２…血糖計
１４…穿刺具                          ２０…測定具
２０ａ…毛細管                        ３０…穿刺針
３０ａ…針                            ３６…本体部
３８、３８ａ…測定器配置部            ４０…穿刺具配置部
４２…載置面                          ４３…平面部
４４、４４ａ…支持部材                ４５…ゴムシート
４６、４８…側面支持部材              ５４…支持孔部
【図１】
0003137887.tif 000003
【図２】
0003137887.tif 000004
【図３】
0003137887.tif 000005
【図４】
0003137887.tif 000006
【図５】
0003137887.tif 000007
【図６】
0003137887.tif 000008
【図７】
0003137887.tif 000009
【図８】
0003137887.tif 000010
【図９】
0003137887.tif 000011
【図１０】
0003137887.tif 000012